(57)【要約】【課題】本発明は人体の影響を受けずに大気雰囲気中のガスを測定することでガスセンサを校正することができる健康状態測定装置および健康状態測定装置の校正方法を提供することを目的とする。【解決手段】便器に載置され、排便時に併発する生体関連ガスのガス濃度を測定するガスセンサを備える健康状態測定装置であって、人体存在の有無を検知する人体検知部と、前記人体検知部の情報に基いて前記ガスセンサを校正する大気利用の校正部を備えることを特徴とする。【選択図】  図３
2009288054.tif 000002
【特許請求の範囲】
【請求項１】
便器に載置され、排便時に併発される生体関連ガスのガス濃度を測定するガスセンサを備える健康状態測定装置であって、
人体存在の有無を検知する人体検知部と、
前記人体検知部の情報に基いて前記ガスセンサを校正する大気利用の校正部を備えることを特徴とする健康状態測定装置。
【請求項２】
前記ガスセンサは二酸化炭素ガスセンサであることを特徴とする請求項１記載の健康状態測定装置。
【請求項３】
前記人体検知部が最後に人体を検知してから所定経過時間後に前記校正部を駆動する駆動部を備えることを特徴とする請求項１または２に記載の健康状態測定装置。
【請求項４】
便器に載置され、排便時に併発される生体関連ガスのガス濃度を測定するガスセンサと、人体存在の有無を検知する人体検知部とを備える健康状態測定装置の校正方法であって、
前記人体検知部の情報に基いて大気を利用して前記ガスセンサを校正することを特徴とする健康状態測定装置の校正方法。
【発明の詳細な説明】
【技術分野】
【０００１】
本発明は、健康状態を判断するための腸内状態を非接触で推定することのできる健康状態測定装置に関する。
【背景技術】
【０００２】
排便時に併発するガス（以下排泄ガスと呼ぶ）を検出し、その検出結果に基づいて、人間の健康状態を判断する技術が知られている。例えば、特許文献１には、ガスセンサを用いて放屁に含まれる有臭ガスを検出し、そのガスセンサからの信号値を直接或いは匂い分析などの適当な処理を行って表示することが開示されている。また、例えば、特許文献２には、脱臭体に吸着された臭気成分を酸化させてその酸化電流から臭気成分濃度を測定する技術が開示されている。 
【０００３】
特許文献３は、腸内状態報知装置およびその方法に関する本出願人の発明である。この装置では、排泄ガス中の水素ガスをガスセンサで測定し、ガスセンサから出力された信号値に対応した腸内状態情報を腸内健康度判定用付属情報から抽出してユーザに報知するものである。腸内状態情報としては、腸内に存在する種々の菌の総数、ビフィズス菌の数、悪玉菌の数、腸内菌の総数に占めるビフィズス菌数の割合、又は、腸内菌の総数に占める悪玉菌数の割合等を採用している。
【０００４】
また、本出願人の発明である特許文献４では、排泄ガスの測定結果を腸内状態指標、例えば腸内細菌バランスに換算して使用者に報知する技術が開示されている。
特許文献５では、二酸化炭素ガスセンサを常時作動して大気濃度を監視し、測定値がもっとも低くなる最低信号時刻を校正時刻として決定し、その時刻における炭酸ガスセンサの信号値を基準濃度対応測定値として補正する技術が開示されている。本技術は、最低大気濃度の毎日の出現時刻がほぼ同じであることを前提としたものである。また、特許文献６は、同様に二酸化炭素ガスセンサを常時作動して大気濃度を測定し、得られた一定期間中のセンサ出力信号値からヒストグラムを作成し、作成されたヒストグラム中の複数のピークを二酸化炭素ガス低濃度側から探索して最初のピーク値を抽出してそれを基準濃度対応値とする校正方法が開示されている。本技術は、最低大気濃度がある一定以上の時間帯にわたって出現することを前提としたものである。
また、硫化水素や水素など、大気中に実質的に存在しない（濃度がゼロ）ガスを測定するガスセンサの場合、大気雰囲気でゼロ校正する方法が一般的に知られている。
【０００５】
【特許文献１】特開平９−４３１８２号公報。
【特許文献２】特開平８−２１１０４８号公報。
【特許文献３】特開２００５−３１５８３６号公報。
【特許文献４】特開２００７−８９８５７号公報。
【特許文献５】特許第３１８３３８７号公報。
【特許文献６】特許第３４８３４３２号公報。
【発明の開示】
【発明が解決しようとする課題】
【０００６】
本発明は人体の影響を受けずに大気雰囲気中のガスを測定することでガスセンサを校正することができる健康状態測定装置および健康状態測定装置の校正方法を提供することを目的とする。
【課題を解決するための手段】
【０００７】
上記課題を解決するため本発明は、便器に載置され、排便時に併発される生体関連ガスのガス濃度を測定するガスセンサを備える健康状態測定装置であって、人体存在の有無を検知する人体検知部と、前記人体検知部の情報に基いて前記ガスセンサを校正する大気利用の校正部を備えることを特徴とする。
好適な一実施形態に係る本発明の健康状態測定装置は、前記ガスセンサは二酸化炭素ガスセンサであることを特徴とする。
好適な一実施形態に係る本発明の健康状態測定装置は、前記人体検知部が最後に人体を検知してから所定経過時間後に前記校正部を駆動する制御部を備えることを特徴とする。
また、本発明の健康状態測定装置の校正方法は、便器に載置され、排便時に併発される生体関連ガスのガス濃度を測定するガスセンサと、人体存在の有無を検知する人体検知部とを備える健康状態測定装置の校正方法であって、前記人体検知部の情報に基いて大気を利用して前記ガスセンサを校正することを特徴とする。
【発明の効果】
【０００８】
人体検知情報に基いて、校正のための大気濃度測定を行ない、その結果によって、人の影響を受けずにガスセンサを校正するので、標準ガスを必要とせず便利である。
【発明を実施するための最良の形態】
【０００９】
本発明を実施するための最良の形態を説明するのに先立って、本発明の作用効果について説明する。
【００１０】
本発明の健康状態測定装置は、便器に載置され、排便時に併発される生体関連ガスのガス濃度を測定するガスセンサを備える健康状態測定装置であって、人体存在の有無を検知する人体検知部と、前記人体検知部の情報に基いて前記ガスセンサを校正する大気利用の校正部を備えることを特徴とする。
【００１１】
本発明の生体関連ガスとは、人の営みによって発生または消費するガス成分のことを指す。人の営みで発生するガスの例として二酸化炭素、水素、アンモニア、硫化水素、また消費するガスの例として酸素、などが挙げられる。また、本発明において、大気利用のガスセンサ校正とは、大気に存在する対象ガスの濃度が一定(ゼロのケースを含む、本発明ではこの濃度を基準大気濃度値という）)であることを利用し、標準ガスの代わりに大気を測定し、その結果を以てガスセンサを校正するガスセンサの校正手法を指す。大気校正はガスセンサ周辺の大気に存在する対象ガスの濃度が一定であることを前提とするが、生体関連ガスは、局地的には人間などの生命活動によって変動する。
本発明によれば、健康状態測定装置にを備えている人体検知部の人体検知情報に基いて、人がいない時に大気濃度を測定し、その結果をもってガスセンサを校正することで、人の存在による大気中のガス濃度への影響を受けることなく、大気利用の校正を可能にしたので、標準ガスを用いずにガスセンサを校正することができる。
好適な一実施形態に係る本発明の健康状態測定装置、前記ガスセンサは二酸化炭素ガスセンサであるを特徴とする。排泄ガス中の二酸化炭素ガスは体調や腸内状態を反映することが本発明者らによって明らかにされており、それを測定することで健康状態を推定することができる。一方、生体関連ガスの中でも二酸化炭素ガスは大気中に安定した濃度で存在しているので、その濃度を基準にした二酸化炭素ガスセンサの大気校正が可能である。しかし、人の呼気にも二酸化炭素ガスが高濃度に含まれていることから、特にトイレ空間などの実質的に閉ざされている空間においては、人の存在によって大気中の濃度が大きく上昇する。本発明によれば、人体検知部の情報に基いて人の居ない時に大気濃度を測定することで、人の影響を受けずに大気校正を実施することができるので、標準の二酸化炭素ガスを使用せずに健康状態測定装置のガスセンサを校正することができるので便利である。
また、好適な一実施形態に係る本発明の健康状態測定装置は、前記人体検知部が最後に人体を検知してから所定経過時間後に前記校正部を駆動する制御部を備えることを特徴とする。本発明によれば、人が存在せず、さらに人が去ってから一定時間経過後大気を利用してガスセンサを校正することができるので、特に人の存在による大気ガス濃度への影響が人の居なくなった後もしばらく続くようなケースにおいて有効である。
本発明の健康状態測定の校正方法は、便器に載置され、排便時に併発される生体関連ガスのガス濃度を測定するガスセンサと、人体存在の有無を検知する人体検知部とを備える健康状態測定装置の校正方法であって、前記人体検知部の情報に基いて大気を利用して前記ガスセンサを校正することを特徴とする。
本発明によれば、健康状態測定装置にを備えている人体検知部の人体検知情報に基いて、人がいない時に大気濃度を測定し、その結果をもってガスセンサを校正する方法が提供されるので、人の存在による大気中のガス濃度への影響を受けることなく、標準ガスを用いずにガスセンサを校正することができる。
【００１２】
以下に添付図面に基づいて本発明の実施形態を具体的に説明する。まず、第１の実施例を図１から図３に基いて説明する。
【００１３】
図１は、本発明の健康状態測定装置を搭載した人体洗浄装置組込タイプ洋式便器の一例を示す（部分透視）外観図である。
【００１４】
便器１の便座２と便鉢３周縁の頂部との間に設けたスペースを利用して脱臭ファン用排気通路４が設置されている。脱臭ファン用排気通路４内には、脱臭ファン５、およびガスセンサ７が取り付けられている。赤外センサを利用した人体検知部７は便座後部に設置されている。
【００１５】
また、制御部８、演算部９および校正部１６は一体化して便座２の後部内に組み込まれ、さらに、演算部９により算出された結果である腸内状態指標データを表示する表示部１０が、人体洗浄装置の操作パネル１１に組み込まれている。ガスセンサ７および校正部１６と制御部８とのデータ交換は結線により、また演算部９と表示部１０とのデータ交換は赤外線により行っている。
【００１６】
図２は本発明の健康状態測定装置の第１実施例を示す概念図である。脱臭ファン用排気通路４内に、風上側から順に脱臭ファン５、脱臭カートリッジ６、ガスセンサ７が配置されている。人体検知部１７がおよび校正部１６が制御部８と結線で繋がっている。
【００１７】
装置が排泄ガスを測定する測定モードにある場合、制御部８が測定開始信号をガスセンサ７に送信しガスセンサが作動し始めると、脱臭ファンによって搬送されてきたガスのガス濃度に応じた出力信号が得られる。ガスセンサ７で得られたセンサ出力信号が演算部９に送られ、時系列的に記憶される。また、制御部８の測定終了信号によってガスセンサの作動が終了し、センサ出力の信号の記録が終了する。続いて、演算部９では後述の方法にしたがって記憶されたセンサの出力信号からガス濃度を求め、さらに腸内状態指標を推算し、得られた腸内状態指標が表示部１０で表示される
【００１８】
また、装置がガスセンサを校正する校正モードにある場合、校正部１６が人体検知部１７から人体検知情報を受信し、その結果に基いて校正を実施する。すなわち、大気濃度を測定し、得られた大気濃度測定値と予め記憶されている基準大気濃度値と比較して、校正部のガス濃度演算用データを書き換える。以下校正部１６について詳細に説明する。
校正部１６は人体検知情報受信部、大気濃度測定部、データ記憶部、校正値選択部、校正実施部を備える。なお、大気濃度測定部の大気濃度測定実施期間または実施タイミング、および校正実施部の実施タイミングは、校正部の初期設定項目として事前に設定されており、また、装置に備えている入力部から変更可能である。
大気濃度測定実施期間にはいったら、人体検知情報受信部は人体検知部１７から送られてきた人体検知情報を読み取り、校正するための大気測定の実施可否を判定する。続いて、大気濃度測定部は人体検知情報受信部の判定結果に基いて、後述の手順にしたがって、制御部を通してガスセンサを作動させ、大気濃度測定を実施する。得られた大気濃度測定の結果は大気濃度測定値としてデータ記憶部は、時系列的に記憶される。
校正実施の時刻（本実施例では毎週木曜日の０時１０分）になったら、校正値選択部は、校正部１６の記憶部に記憶された直近一定期間（本実施例では直近３日間）の大気濃度測定値データから、最低の大気濃度測定値を校正用大気濃度測定値として選択する。次に、校正実施部は、校正用大気濃度測定値に対応するガスセンサ出力から算出された大気濃度値が予め決定された基準大気濃度値と一致するよう、演算部のガス濃度演算用データを書き換えて、校正動作を完了する。
次に本実施例における校正部１６の大気濃度測定の動作をより具体的に説明する。ガスセンサは二酸化炭素センサである。本実施例では週１回の頻度で木曜日の０時１０分にガスセンサを校正し、校正用の大気濃度測定値を取得するための大気濃度測定の実施期間はその直前の３日間、すなわち月曜日の０時から水曜日の２４時までとした。大気濃度測定の実施期間中では予め設定された時刻になったら大気濃度の測定を実施する。
図３は、本実施例における校正部の動作を示す概念図である。大気濃度の測定時刻になったら、人体検知情報受信部が人体検知部１７からの人体検知情報を受信し、その情報に基いて、大気濃度測定の実施可否を判定する。人体検知情報は「人体存在あり」の場合、その時刻における大気濃度測定は実施せず、大気状態に戻る。一方、人体検知情報は「人体存在なし」の場合、大気濃度測定部が制御部８を通してガスセンサを作動させ、大気濃度測定を実施する。大気濃度測定は１秒間隔で連続１０回実施し、得られた１０回の測定データから、最大値と最小値を除いた８回のデータの平均値をこの時刻における大気濃度測定値としてデータ記憶部に記憶する。連続複数回測定を実施するのは、ノイズなどのイレギュラー情報を除去するためである。大気濃度測定完了後、センサをOFF状態にする。続いて、校正実施の時刻判定を行い、校正実施の時刻と判定されたら、前述方法で校正値を選択して校正を実施し、待機状態に戻る。
本実施例では校正実施の頻度を週１回としたが、ガスおよびガスセンサの種類に応じて校正実施を例えば、一日に１回、または１ヶ月に１回の頻度で実施してもよい。また、大気濃度測定期間を校正実施時刻の直前３日間としたが、校正実施の頻度に応じて変更してよい。さらに、外部入力によってこれらを変更することができるようにしてもよい。
次に第２の実施例を説明する。本実施例の健康状態測定装置の構成は図１から図２に示す実施例１の構成と同様であり、ガスセンサは硫化水素である。
【００１９】
本実施例の人体検知部１７は赤外線センサからなる人体検知センサの外に、最後に人体を検知してからの経過時間を積算し、積算された経過時間情報に基いて校正部を駆動する駆動部を備える。駆動部と人体検知センサが一体になって図１に示す便座後部に設置されている。また、校正部１６は人体検知情報受信部、大気濃度測定部、および校正実施部からなる。
図４は、本実施例における人体検知部および校正部の動作を示す概念図である。人体検知部１７は人体検知センサを常時作動させ、最後に人体を検知してからの経過時間を積算し、記憶する。ガスセンサの校正を実施予定の時間帯（本実施例では毎日午前１時〜午前５時）に入ってから、人体検知部１７の駆動部が記憶されている最後に人体を検知してからの経過時間情報をチェックし、最後に人体を検知してからの経過時間ｔが予め決めてある所定値Ｔ（例えば３０分）に達したかを判定する。最後に人体を検知してからの経過時間が所定時間に達した、すなわちｔ＞＝Ｔと判断された場合、駆動部が校正部１６に大気濃度測定実施開始の信号を送る。
校正部１６は人体検知部１７からの大気濃度測定実施開始の信号を受信したら、大気濃度測定部が制御部８を通してガスセンサを作動させ、大気濃度測定を実施する。大気濃度測定は１秒間隔で連続１０回実施し、得られた１０回の測定データから、最大値と最小値を除いた８回のデータの平均値をこの時刻における大気濃度測定値としてデータ記憶部に記憶する。連続複数回測定を実施するのは、ノイズなどのイレギュラー情報を除去するためである。大気濃度測定完了後、センサをOFF状態にし、待機状態に戻る。
【００２０】
次に、校正実施部は、得られた大気濃度測定値を、基準大気濃度値と比較し、変動幅（両者の差）が予め決定されている閾値を越えていないかを判定する。変動幅が閾値を越えていないと判定された場合、大気濃度測定値に対応するガスセンサ出力から算出された大気濃度値が予め決定された基準大気濃度値と一致するよう、演算部のガス濃度演算用データを書き換えて、校正動作を完了する。
本実施例では人の存在による大気濃度への影響が離室後も残り、影響がなくなるまで一定の時間がかかる可能性を考慮しているので、より確実に人の影響を受けない大気濃度測定値を得られることができる。また、変動幅に上限を設けることによって、突発的な要因による大気濃度測定値の急変にも対応できる。
続いて第３実施例を説明する。
本実施例の健康状態測定装置の構成は図１から図２に示す実施例１の構成と同様であり、ガスセンサは二酸化炭素ガスセンサである。
本実施例の人体検知部１７は赤外線センサからなる人体検知センサの外に、最後に人体を検知してからの経過時間を積算し、積算された経過時間情報に基いて校正部を駆動する駆動部を備える。また、校正部１６は人体検知情報受信部、大気濃度測定部、データ記憶部、校正値選択部、校正実施部を備える。
本実施例では、週１回の頻度で木曜日の０分にガスセンサの校正を実施し、校正用の大気濃度測定値を取得するための大気濃度測定の実施期間はその直前の３日間、すなわち月曜日の０時から水曜日の２４時までとした。大気濃度測定の実施期間中では校正部が人体検知部からの駆動信号を受けて大気濃度を測定する。
人体検知部１７は実施例２と同様、人体検知センサを常時作動させ、最後に人体を検知してからの経過時間を積算し、記憶する。大気濃度測定の実施期間に入ってから、人体検知部１７の駆動部が記憶されている最後に人体を検知してからの経過時間情報をチェックし、予め決めてある所定値（例えば３０分）に達したかを判定する。最後に人体を検知してからの経過時間が所定時間に達したと判断された場合、駆動部が校正部１６の大気濃度測定部に大気濃度測定実施開始の信号を送る。
図５は本実施例における校正部の動作を示す概念図である。人体検知部１７からの大気濃度測定実施開始の信号を受信したら、大気濃度測定部が制御部８を通してガスセンサを作動させ、大気濃度測定を実施する。大気濃度測定は、人体検知部からの人体検知信号受信まで６０秒間隔で連続実施し、得られた測定データをデータ記憶部に記憶する。ここで人体検知信号とは人体検知部で人体の存在を検知し、その結果を校正部に送信した信号のことである。一方、人体検知信号を受信したら、直ちに校正のための大気濃度測定動作を終了し、測定モードに切り替え、測定終了後または一定時間経過後センサをOFF状態にし、待機状態に戻る。
図６は本実施例の大気濃度測定実施期間中、ある１日の大気濃度測定を実施したタイミングを例示する図である。人が頻繁にいる時間帯では測定がほとんど行われず、人体があまり検出されない時間帯に大気濃度測定が集中的に実施されたことがわかる。
大気濃度測定期間後、校正値選択部は、校正実施時刻の判定を行い、実施時刻（本実施例では毎週木曜日の０時１０分）と判定されたら、記憶部に記憶された直近３日間の大気濃度測定値データから、最低の大気濃度測定値を校正用大気濃度測定値として選択する。最後に、校正実施部は、校正用大気濃度測定値に対応するガスセンサ出力から算出された大気濃度値が予め決定された基準大気濃度値と一致するよう、演算部のガス濃度演算用データを書き換えて、校正動作を完了する。
本実施例では人の存在による大気濃度への影響が離室後も残り、影響がなくなるまで一定の時間がかかる可能性を考慮しているので、より確実に人の影響を受けない大気濃度測定値を得られることができる。また、一定期間にわたって測定された大気濃度値から最低測定値を選択するようにしているので、特に二酸化炭素のような大気濃度が人によって大きく影響を受けるガスの場合、確実に基準値に近い大気濃度の測定値で校正することができる。
【００２１】
次に、第４実施例を説明する。
本実施例の装置配置、人体検知部および校正部の構成が前記実施例３と同様であり、ガスセンサの校正は週１回の頻度で木曜日の０分１０分に実施し、校正用の大気濃度測定値を取得するための大気濃度測定の実施期間はその直前の３日間、すなわち月曜日の０時から水曜日の２４時までとした。大気濃度測定の実施期間中では校正部が人体検知部からの駆動信号を受けて大気濃度を測定する。
図７は第４実施例の人体検知部と校正部の動作を示す図である。
人体検知部１７は人体検知センサを常時作動させ、最後に人体を検知してからの経過時間を積算し、記憶する。ガスセンサの校正を実施する予定の時刻（本実施例では月曜日から水曜日の０：００、１：００、……２３：００）になったから、人体検知部１７の駆動部が記憶されている最後に人体を検知してからの経過時間情報をチェックし、最後に人体を検知してからの経過時間ｔが予め決めてある所定値Ｔ（例えば３０分）に達したかを判定する。最後に人体を検知してからの経過時間が所定時間に達したと判断された場合、駆動部が校正部１６の大気濃度測定部に大気濃度測定実施開始の信号を送る。
校正部１６が人体検知部１７からの大気濃度測定実施開始の信号を受信したら、大気濃度測定部が制御部８を通してガスセンサを作動させ、大気濃度測定を実施する。大気濃度測定は１秒間隔で連続１０回実施し、得られた１０回の測定データから、最大値と最小値を除いた８回のデータの平均値をこの時刻における大気濃度測定値としてデータ記憶部に記憶する。連続複数回測定を実施するのは、ノイズなどのイレギュラー情報を除去するためである。大気濃度測定完了後、センサをOFF状態にする。続いて、校正実施の時刻判定を行い、校正実施の時刻と判定されたら、実施例１で述べた方法で校正値を選択して校正を実施し、待機状態に戻る。
図８はある１日にわたって、本実施例の校正部の大気濃度測定を実施したタイミングを示す図である。人が頻繁にいる時間帯では測定がほとんど行われず、人体があまり検出されない時間帯に大気濃度測定が集中的に実施されたことがわかる。
以上本発明の健康状態測定装置を校正部の構成および校正方法を中心に説明した。続いて、本発明の健康状態測定装置の演算部９におけるガスセンサ出力からガス濃度、さらにガス濃度から腸内状態指標を推定する方法について説明する。本実施例ではガスとして二酸化炭素、腸内指標の例として便ｐＨを用いた。
演算部９は第一演算部と第二演算部からなる。まず、第一演算部によってガスセンサの出力からガス濃度を演算する手順について説明する。
図９は排便時に発生したガス中の二酸化炭素ガス濃度をガスセンサ７で測定した時の出力例を示すグラフである。横軸の時間（秒）は排便所要時間を表し、ｔ１は排便開始時、ｔ２は排便終了時である。最高出力は排便量が最も多いタイミングに対応するため、このときの出力値（最大ピーク値Ｖｐ）を利用すれば、より正確なｐＨ値を推定することができる。
上記Ｖｐ値をガスセンサ７の出力として、第一演算部では便器対応データを利用して、最大ピーク値Ｖｐに対応する二酸化炭素ガス濃度Ｃｐを算出する。
次に、算出された二酸化炭素ガス濃度Ｃｐから腸内状態指標の便ｐＨを算出する手順を説明する。
【００２２】
図１０は排便時に発生したガス中の二酸化炭素ガス濃度（容量％で表示）の最大値と、そのときに採取した便中の酢酸濃度（μｍｏｌ／ｇ）との相関を示す実測データである。このように二酸化炭素ガス濃度と酢酸濃度との間に相関性があることの理由が明確ではないが、便のｐＨ値は含まれるカルボン酸の濃度によって左右され、このカルボン酸の一定割合が体内で水と二酸化炭素に分解されているためと推測される。
【００２３】
したがって、カルボン酸のうちの大部分を占める酢酸の濃度も上記二酸化炭素ガス濃度と相関があることになる。また、図１１は便中の酢酸濃度と便中のｐＨ値との相関を示す実測データであり、他に含まれる酸や塩基の影響を受けてデータは多少乱れるものの、ほぼ、直線的な関係を示している。
第一演算部で二酸化炭素ガスセンサの出力からガス濃度への演算が終わると、得られた二酸化炭素ガス濃度値が第二演算部に送信される。第二演算部では、図１０に示す相関データに基く二酸化炭素ガス濃度と酢酸濃度との対応表、および図１１に示す相関データに基く酢酸濃度と便ｐＨとの対応表が記憶されており、記憶された対応表にしたがって二酸化炭素ガス濃度から酢酸濃度、さらに酢酸濃度から便ｐＨを推定する。
最後に、本発明の健康状態測定装置を使用した腸内状態測定方法の手順を例示して説明する。  
図１２は、本発明の健康状態測定装置洋式便器に付設された衛生洗浄便座装置に内蔵）を使用した健康状態測定方法の手順を示す一例である。使用者（以後、「ユーザ」と呼ぶ。）の動作を左側に、便座装置が行う処理（健康状態測定装置の処理を含む）を右側に別けて表示した。
【００２４】
本図の流れの通り、ユーザはトイレ内に入室し排便をして退室するのであるが、このトイレには本発明の健康状態測定装置が取り付けてあるため、退室する前には自分の腸内のｐＨ推定値を表示部１０に表示されることで、その日の体調を知り、あるいは継続的に測定していた場合は経時的な体調の変化を知ることができる。
【００２５】
まずユーザが入室すると人体検知部１７の人体検知センサによって入室が検知され、制御部８によって二酸化炭素ガスセンサ７が起動される。人体検知センサを使わない場合には、ユーザが健康状態測定装置の電源を手動で入れてもよい。
【００２６】
ユーザが着座すると着座センサが着座を検知し、制御部８によって脱臭ファン５および二酸化炭素ガスセンサ７が作動を開始する。ここで稼動開始時のセンサの時刻をｔ１とし、その時刻に対応する二酸化炭素ガスセンサ７の出力値をＶ１と呼ぶ。なお、ガスセンサの始動は着座センサを使わずにユーザがセンサの始動スイッチを押してもよい。
【００２７】
ユーザが排便を開始し終了するまで、二酸化炭素ガスセンサ７は一定時間ｔｘ、たとえば１秒おきにデータＶｘを検出し、それらを制御部８に書き込む。
【００２８】
排便終了後、ユーザが人体洗浄を開始する。このとき、洗浄ボタンと連動させて二酸化炭素ガスセンサ７の記録を終了させる。排便終了時の時間ｔ２と二酸化炭素ガスセンサ７のそのときの検知データＶ２が記憶される。なお、排便前または排便中に洗浄ボタンが使われるケースもあることを考慮する場合は、洗浄ボタンと連動させずにユーザが手動で記憶終了させる形式としてもよい。
【００２９】
次に、演算部９の第一演算部ではｔ１〜ｔ２の範囲で二酸化炭素ガス出力の最大値Ｖｍａｘを検索する。そしてＶｍａｘの値そのもの、またはＶｍａｘから二酸化炭素ガス出力の最小値を引いた値を排泄ガス対応の二酸化炭素ガスセンサの出力値（最大値Ｖｐ）として記録する。そしてＶｐ値から二酸化炭素ガス最大濃度Ｃｐを算出する。
【００３０】
続いて演算部９の第二演算部では酢酸濃度を推定し、続いて酢酸濃度からｐＨ値を推定する。同定したｐＨ値は第二演算部９に書き込み、さらに同定結果をユーザに表示部１０等により報知する。
【００３１】
ユーザが離座すると、それを着座センサが感知し脱臭ファン５が停止する。そしてユーザが退室すると人体検知センサによって退室が検知されその信号が制御部８送られ二酸化炭素ガスセンサ７の電源が切られる。
【００３２】
尚、本実施例では二酸化炭素ガスセンサを使用したが、水素ガスセンサや硫化水素センサなどを使用しても、それに対応した換算方法を使用することで、同じように腸内状態指標を測定することができる。
【図面の簡単な説明】
【００３３】
【図１】本発明の健康状態測定装置を搭載した衛生洗浄便座装置を付設した洋式便器の一例を示す（部分透視）外観図
【図２】本発明の健康状態測定装置を示す概念図
【図３】第１実施例の校正部の動作を示す概念図
【図４】第２実施例の人体検知部および校正部の動作を示す概念図
【図５】第３実施例における校正部の動作を示す概念図
【図６】第３実施例の大気濃度測定を実施したタイミングを例示する図
【図７】第４実施例の人体検知部および校正部の動作を示す概念図
【図８】第４実施例の大気濃度測定を実施したタイミングを例示する図
【図９】排便時に発生したガス中の二酸化炭素ガス濃度を測定した出力例を示す図
【図１０】排便ガスの二酸化炭素ガス濃度をと便中酢酸濃度との相関関係を示す図
【図１１】便中酢酸濃度と便ｐＨ値との相関関係を示す図
【図１２】本発明の健康状態測定装置（人体洗浄装置組込タイプ洋式便器に搭載）を使用した健康状態測定方法の手順の一例を示す図
【符号の説明】
【００３４】
１…便器、２…便座、３…便鉢、４…脱臭ファン用排気通路、５…脱臭ファン、７…ガスセンサ、８…制御部、９…演算部、１０…表示部、１１…操作パネル、１６…校正部、１７…人体検知部。
【図１】
2009288054.tif 000003
【図２】
2009288054.tif 000004
【図３】
2009288054.tif 000005
【図４】
2009288054.tif 000006
【図５】
2009288054.tif 000007
【図６】
2009288054.tif 000008
【図７】
2009288054.tif 000009
【図８】
2009288054.tif 000010
【図９】
2009288054.tif 000011
【図１０】
2009288054.tif 000012
【図１１】
2009288054.tif 000013
【図１２】
2009288054.tif 000014